(57)【特許請求の範囲】
【請求項１】
引き違いサッシの横枠が、障子の移動方向の途中にストッパ受けを備え、障子が、横框の内側に回動可能に設けてあり且つ障子の移動方向の開き側に傾斜して先端をストッパ受けに係合可能なストッパ部材と、横框の室内側又は室外側から操作してストッパ部材とストッパ受けとの係合を解除すると共にストッパ部材を回動する操作部と、横框の内側でストッパ部材の回動軸よりも障子の移動方向の開き側に設けてありストッパ部材を係止可能な係止手段とを備え、係止手段は、ストッパ受けとの係合を解除して上方に回動したストッパ部材を係止することを特徴とする引き違いサッシ。
【発明の詳細な説明】
【０００１】
【発明の属する技術分野】
本発明は、引き違いサッシに関し、特に、障子を所定の開き寸法で止めることができる引き違いサッシに関する。
【０００２】
【従来の技術】
この種のサッシとして、例えば、医療福祉関連施設等に使用されているサッシでは、障子を開ける際に、患者が外に出るのを防止するために、通常は障子の開き寸法を例えば１５ｃｍ程度で止めてこれ以上開かないようにする一方、必要のある場合には、管理者等が障子を全開するというような場合がある。そのために、障子の開き状態を操作できる障子ストップ機構が必要になる。
【０００３】
従来の障子ストップ機構として、例えば、実公平５−１５０２２号公報に開示されている技術が公知である。この公報に開示されている技術では、サッシの下枠において、障子が開く範囲の中間位置に、障子に当接してその移動を阻止するストッパ受けを設け、ストッパ受けに係合可能なストッパ部材とこのストッパ部材に当接して回動を阻止する回動阻止部材とを障子の室外側に設け、ストッパ受けにストッパ部材を当接させると共に、回動阻止部材によりストッパ部材の回動を規制した構成が開示されている。そして、障子を全開する必要がある場合には、ストッパ部材とストッパ受けとの係合を解除するが、この場合には、ストッパ部材を係合位置から約３／４周（２７０度）回動させて回動阻止部材の上にのせて解除状態を保持する構成が開示されている。
【０００４】
【発明が解決しようとする課題】
しかしながら、上述した公報に開示の技術では、ストッパの解除状態を保持するために利用している回動阻止部材は、障子を開く力に対抗するため、所定の剛性を必要とすると共に、回動阻止部材を強固に取付ける必要がある。このため、構成が複雑になるという不都合がある。また、障子を全開するときには、ストッパ部材を３／４周回動させなければならず、操作しにくいという不都合がある。
【０００５】
本発明は、上述した事情に鑑みたものであり、簡易な構成で、所定の開き寸法で止めることが可能であり且つ容易に全開可能とすることができる引き違いサッシの提供を目的とする。
【０００６】
【課題を解決するための手段】
上記目的を達成するために、請求項１の発明は、引き違いサッシの横枠が、障子の移動方向の途中にストッパ受けを備え、障子が、横框の内側に回動可能に設けてあり且つ障子の移動方向の開き側に傾斜して先端をストッパ受けに係合可能なストッパ部材と、横框の室内側又は室外側から操作してストッパ部材とストッパ受けとの係合を解除すると共にストッパ部材を回動する操作部と、横框の内側でストッパ部材の回動軸よりも障子の移動方向の開き側に設けてありストッパ部材を係止可能な係止手段とを備え、係止手段は、ストッパ受けとの係合を解除して上方に回動したストッパ部材を係止することを特徴とする。
【０００７】
この請求項１に記載の発明では、ストッパ部材が横枠側に位置しているときに、障子を開いた場合に、ストッパ部材が、横枠の途中に固定されたストッパ受けに当接するので、障子は、所定の開き寸法で止まる。一方、障子を全開する必要がある場合には、操作部の操作によりストッパ部材とストッパ受けとの当接を解除する。この解除位置で、ストッパ部材は、係止手段に係止されるので、そのまま解除状態が保持され容易に全開できる。係止手段はストッパ受けに対して解除状態にあるストッパ部材を係止するだけであるから、高い剛性が要求されることなく、且つ構成が簡易である。また、係止手段は、ストッパ部材がストッパ受けとの当接を解除した位置で係止するので、係止操作が容易である。
【０００８】
【０００９】
【００１０】
【００１１】
【００１２】
【発明の実施の形態】
以下、本発明の実施の形態に係る引き違いサッシを図面を参照して説明する。図１は、第１実施の形態に係る引き違いサッシ１に取り付けられた障子ストッパの正面図、図２は障子ストッパが取り付けられたサッシの横断面図、図３はサッシの縦断面図であり、図４及び図５は部品図である。
【００１３】
本実施の形態に係る引き違いサッシ１は、例えば、医療福祉関連施設に取り付けられる２枚戸の引き違いサッシであり、障子を途中までしか開けないことができる障子ストップ機構３を備えている。下枠５には、障子７が移動する長手方向の途中にストッパ受け１１がビス１３により固定されている。
【００１４】
ストッパ受け１１は金属やプラスチックにより略板状に作られており、当接部１５と傾斜部１７を有している。当接部１５には衝撃力を緩衝するために弾力性を有する材料で作られたクッション材１９が貼付けられている。このクッション材１９は、弾力性を有する材料、例えば軟質の塩化ビニルで作られている。
【００１５】
一方、障子７の下框２１には、その内側にストッパ本体２３が複数のビス２５により固定されている。ストッパ本体２３は、下框２１の内壁面に取り付けた取付け基部２７と、ストッパ部材２９とから構成されており、この取付け基部２７に対してストッパ部材２９が回転可能に軸支されている。
【００１６】
取付け基部２７は、縦断面が略コ字形状に形成されており、コ字状の内側にストッパ部材２９が収納されている。
【００１７】
ストッパ部材２９は、その基端部から延出する棹部３５を備えており、全体としてへの字形状に形成されている。ストッパ部材２９の基端部はシリンダ３３に固定されており、ストッパ部材２９は、シリンダ３３と共に回動するようになっている。ストッパ部材２９の先端部は、自然状態では自重により下枠５側に位置し、ストッパ受け１１の当接部１５に突き当たる突き当て端部３７は当接部１５の傾斜に合わせて傾斜しており、当接部１５と突き当て部３７とが噛み合うようになっている。
【００１８】
シリンダ３３の鍵穴３１は、下框２１の室内側面に設けられており、室内側から操作キー３９（図６参照）を差し込んで操作するようになっている。
【００１９】
また、ストッパ部材２９には、その上部に一体に形成された係合部４１を備えており、取付け基部２７に固定されている係止バー４３に、弾性変形により把持して、係止可能になっている。係合部４１は、円弧形状の凹みを形成した壁部を備えており、係止バー４３は、この壁部を押し開いて凹みに係合するものである。
本実施の形態では、係合部４１と係止バー４３とにより係止手段４５が構成されており、簡易な構成で且つストッパ部材２９を上方に回動させるだけで容易に係止可能な構成になっている。
【００２０】
このように、係止手段４５により、ストッパ部材２９が係止された状態では、図１に一点鎖線で示すように、ストッパ部材２９の突き当て部３７がストッパ受け１１よりも上にある位置で保持され、ストッパ部材２９の下がりを防止している。
【００２１】
棹部３５は、ストッパ部材２９と共に一体に回動し、その先端部には、室外側に操作部摘み４９が設けられている。従って、上述した室内側からの鍵穴３１の操作に加えて、室外側からの操作摘み４９の操作によっても、ストッパ部材２９とストッパ受け１１との当接及び解除が可能な構成になっている。
【００２２】
更に、棹部３５には、ストッパ部材２９の突き当て部３７が当接位置にあるか、解除位置にあるかを表示する表示部５１が一体に設けられている。この表示部は、色の異なる２箇所の着色部５７、５９を備えており、ストッパ部材２９の位置に対応して、下框５３に形成された表示孔５５に各着色部５７、５９が位置して、色を表示するものである。
【００２３】
次に、上記引き違いサッシの作用を説明する。図１に実線で示すように、ストッパ部材２９の突き当て端部３７は自重により下がった位置にあり、この状態で障子７を位置Ｐ１から位置Ｐ２にＴ１方向に沿って開き寸法Ｌ分移動すると、ストッパ部材２９の突き当て端部３７がストッパ受け１１のクッション材１９に当接して止まり、それ以上障子は開かない。障子の開き寸法Ｌは、例えば１５ｃｍ程度である。この場合に、ストッパ部材２９の突き当て端部３７はストッパ受け１１のクッション材１９に対して傾斜して食い込む。
【００２４】
また、ストッパ部材２９は、下框２１の内側にあるので、下框２１の外側からは容易に手で触れることができず、ストッパ部材２９を指等で外すことは困難である。
【００２５】
尚、ストッパ部材２９が、図１で実線で示す下方位置にあるときには、表示孔５５には第１着色部５７が位置し、ストッパ部材２９が係合状態にあることを表示するので、室内側からストッパ部材２９の位置を用意に把握することができる。
【００２６】
一方、管理者等が必要に応じて障子を全開したい場合には、まず、表示孔５５を見て、表示孔５５からの色の表示で、ストッパ部材２９が下に下がった位置にあることを確認する。
【００２７】
次に、図１において、障子７を少しＴ１方向に戻して、操作キー３９を鍵穴３１に差し込み、所定角度回転することによって、ストッパ部材２９の突き当て部３７は、図１の実線で示す位置から一点鎖線で示すように、ストッパ受け１１の上方の位置に持ち上げる。これによって、ストッパ受け１１とストッパ部材２９との当接が解除されると共に、ストッパ部材２９に設けられている係合部４１が係止バー４３に弾性変形して嵌まり、ストッパ部材２９は、ストッパ受け１１との係合の解除状態が保持される。従って、障子７は移動可能になり、障子７を全開できる。
【００２８】
更に、ストッパ部材２９は、その突き当て端部３７が、ストッパ受け１１に対して上方に保持された状態のままであるから、常時全開可能な状態にある。尚、この状態において、表示孔５５には、第２着色部が表示される。
【００２９】
また、全開可能な状態から半開きの状態に障子７を締めるときには、操作キー３９を鍵孔３１に差し込んで、ストッパ部材２９の突き当て端部３７を下方に向けて回動するように、操作キー３９を回動させる。すると、係止バー４３と係合部４１との係合が解除されるので、ストッパ部材２９は、その突き当て端部３７が自重により下方位置するように回動する。
【００３０】
この状態で、障子７を図１の位置Ｐ１側へＴ１方向に移動させて閉めれば、何ら操作することなくストッパ部材２９はストッパ受け１１の傾斜部１７の上を摺動して移動して、ストッパ受け１１を越えることができる。従って、キー操作をすることなく、障子を閉めることができる。ストッパ部材１０は、その自重により、図１の実線で示す位置あるので、再び、障子７を開ける場合には、図１に示す位置Ｐ１から位置Ｐ２にＴ１方向と反対の方向に沿って開き寸法Ｌ分移動すると、ストッパ部材２９の突き当て端部３７は、ストッパ受け１１のクッション材１９に当接し、障子７の移動が阻止される。従って、障子７は途中までしか開かなくなる。
【００３１】
一方、何らかの理由で、ストッパ受け１１とストッパ部材２９との噛み合いを室外側から、解除する必要がある場合には、操作キー３９の操作とは別に、室外側にある操作摘み４９を操作して、ストッパ受け１１の突き当て端部３７を上方に移動する。これにより、上述した操作キー３９の操作と同様にストッパ部材２９の突き当て端部３７がストッパ受け１１の上方に位置して、両者の噛み合いが解除され、障子７を全開できる。この場合、同時に、ストッパ部材２９の係合部４１が係止バー４３に係合して、ストッパ部材２９の位置が保持される。
【００３２】
次に、図６乃至図１１を参照して、本発明の他の本実施の形態を説明するが、以下に説明する他の実施の形態では、上述した実施の形態と同様の作用を奏する部分には、同一の符号を付することにより、その部分の詳細な説明を省略し、主に、第１実施の形態と異なる部分のみを説明する。
【００３３】
図６及び図７に示す第２実施の形態では、ストッパ部材２９に設けた棹部３５に、操作摘み４９を有していないことが、上述した第１実施の形態と異なる。従って、この第２実施の形態では、室内側からの操作キー３９の操作のみにより、ストッパ部材２９の突き当て端部３７を上下動させ、ストッパ受け１１との当接あるいはその解除が可能な構成になっている。その他の点は、上述した第１実施の形態と同様な構成である。この第２実施の形態においても、室内側からの操作キー３９の操作でストッパ部材２９の突き当て端部３７を上方に向けて回動したときに、ストッパ部材２９に設けた係合部４１と取付け部材２７に設けた係止バー４３とが係合して、その位置を保持することができる。
【００３４】
図８及び図９に示す第３実施の形態では、シリンダ３３に鍵孔３１を備えていない点が上述した第１実施の形態と異なる。従って、この第３実施の形態では、室内側からのキー操作ができず、室外側に設けた操作摘み４９の操作のみにより、室外側から、ストッパ部材２９の突き当て端部３７を上下動させ、ストッパ受け１１との係合あるいは解除が可能な構成になっている。その他の点は、上述した第１実施の形態と同様な構成である。この第３実施の形態においても、室外側からの操作摘み４９の操作で、ストッパ部材２９の突き当て端部３７を上方に向けて回動したときに、ストッパ部材２９に設けた係合部４１と取付け部材２７に設けた係止バー４３とが係合して、その位置を保持することができる。
【００３５】
尚、本発明は、上述した実施の形態に限定されず、種々の変形が可能である。
【００３６】
例えば、係止手段４５は、ストッパ部材２９に設けた係合部４１と取付け基部２７に設けた係止バー４３との係合により係止することに限らず、ストッパ部材２９に係止バーを設け、取付け基部２７に係合部４１を設けてもよい。
【００３７】
係止手段４５は、棹部に係合部４１を設け、下框２１に係止バー４３を設けるものであってもよい。
【００３８】
【００３９】
更に、操作摘み４９を室内側に設け、シリンダ３３に鍵穴を設けずに、室内側からの操作は、操作摘み４９のみによるものであってもよい。
【００４０】
【発明の効果】
請求項１に記載の発明によれば、ストッパ部材とストッパ受けとの当接を解除した位置でストッパ部材を係止可能な係止手段を備えるから、ストッパ部材の当接解除位置で、ストッパ部材は、係止手段に係止されるので、そのまま解除状態が保持され、障子を容易に全開できる。係止手段はストッパ受けに対して解除状態にあるストッパを係止するだけであるから、高い剛性が要求されず、且つ構成が簡易である。また、係止手段は、ストッパ部材をストッパ受けとの当接を解除した位置で、容易に係止でき、当接の解除操作が容易である。
【００４１】
【００４２】
【図面の簡単な説明】
【図１】  第１実施の形態に係る障子ストップ機構におけるストッパ本体とストッパ受けとの関係を示す正面図である。
【図２】  図１に示す障子ストップ機構を含む部分における引き違いサッシの横断面図である。
【図３】  第１実施の形態における引き違いサッシの縦断面図である。
【図４】  ストッパ部材の正面図である。
【図５】  取付け基部の側面図である。
【図６】  第２実施の形態に係る障子ストップ機構におけるストッパ本体とストッパ受けとの関係を示す正面図である。
【図７】  図６に示す障子ストップ機構を含む部分における引き違いサッシの横断面図である。
【図８】  第２実施の形態に係る障子ストップ機構におけるストッパ本体とストッパ受けとの関係を示す正面図である。
【図９】  図６に示す障子ストップ機構を含む部分における引き違いサッシの横断面図である。
【符号の説明】
１    引き違いサッシ
５    下枠（横枠）
７    障子
１１  ストッパ受け
２１  下框（横框）
２９  ストッパ部材
３１  鍵穴（操作部）
４５  係止手段
４９  操作摘み（操作部）
【図１】
0003922503.tif 000002
【図２】
0003922503.tif 000003
【図３】
0003922503.tif 000004
【図４】
0003922503.tif 000005
【図５】
0003922503.tif 000006
【図６】
0003922503.tif 000007
【図７】
0003922503.tif 000008
【図８】
0003922503.tif 000009
【図９】
0003922503.tif 000010